【事件の表示】
　平成　９年特許願第１４８６４４号「歌唱音声合成装置、歌唱音声合成方法および記憶媒体」拒絶査定不服審判事件〔平成１０年１２月　４日出願公開、特開平１０−３１９９８４、請求項の数（６）〕について、次のとおり審決する。
【結　論】
　原査定を取り消す。
　本願の発明は、特許すべきものとする。
【理　由】
第１　本願発明
　本願は、平成９年５月２２日の出願であって、平成１４年１月２１日、平成１４年１１月１１日に補正されたものであるところ、その請求項１乃至６に係る発明（以下「本願発明」という）は、次に掲げるものである。
「【請求項１】　フォルマントを発生するフォルマント発生手段と、
　該発生されたフォルマントを複数個組み合わせることにより１音声を合成する音声合成手段と、
　該合成された１音声を順次つなぎ合わせて行くことにより歌唱音声を生成する歌唱音声生成手段と、
　前記合成される音声の音高に応じて当該各フォルマントの中心周波数をシフトするフォルマント中心周波数シフト手段と、
　該合成される音声の音高に応じて当該各フォルマントのレベルを変動させるフォルマントレベル変動手段と、
　前記発生された複数個のフォルマントのうち所定次数のフォルマントの中心周波数が当該合成される音声の音高より低くなったときに、該フォルマントの中心周波数を当該合成される音声の音高で置き換える置き換え手段とを有し、
　前記音声合成手段は、前記フォルマント中心周波数がシフトされ、および／または前記フォルマントレベルが変動された各フォルマントを組み合わせて音声合成を行うことを特徴とする歌唱音声合成装置。
【請求項２】　フォルマントを発生するフォルマント発生手段と、
　該発生されたフォルマントを複数個組み合わせることにより１音声を合成する音声合成手段と、
　該合成された１音声を順次つなぎ合わせて行くことにより歌唱音声を生成する歌唱音声生成手段と、
　前記発生されたフォルマントの、少なくともレベルを変調させるための変調信号であって、当該１音声内でそのレベルが時間変化する変調信号を発生する変調信号発生手段と、
　前記発生されたフォルマントの、少なくともレベルを、該発生した変調信号によって変調させたときに、その変調後のフォルマントレベルの最大値がその変調前のフォルマントレベルの最大値を超えないように、前記変調信号を形成する変調信号形成手段と、
　前記発生されたフォルマントの、少なくともレベルを該形成された変調信号によって変調する変調手段と
を有することを特徴とする歌唱音声合成装置。
【請求項３】　フォルマントを発生するフォルマント発生工程と、
　該発生されたフォルマントを複数個組み合わせることにより１音声を合成する音声合成工程と、
　該合成された１音声を順次つなぎ合わせて行くことにより歌唱音声を生成する歌唱音声生成工程と、
　前記合成される音声の音高に応じて当該各フォルマントの中心周波数をシフトするフォルマント中心周波数シフト工程と、
　該合成される音声の音高に応じて当該各フォルマントのレベルを変動させるフォルマントレベル変動工程と、
　前記発生された複数個のフォルマントのうち所定次数のフォルマントの中心周波数が当該合成される音声の音高より低くなったときに、該フォルマントの中心周波数を当該合成される音声の音高で置き換える置き換え工程とを有し、
　前記音声合成工程は、前記フォルマント中心周波数がシフトされ、および／または前記フォルマントレベルが変動された各フォルマントを組み合わせて音声合成を行うことを特徴とする歌唱音声合成方法。
【請求項４】　フォルマントを発生するフォルマント発生工程と、
　該発生されたフォルマントを複数個組み合わせることにより１音声を合成する音声合成工程と、
　該合成された１音声を順次つなぎ合わせて行くことにより歌唱音声を生成する歌唱音声生成工程と、
　前記発生されたフォルマントの、少なくともレベルを変調させるための変調信号であって、当該１音声内でそのレベルが時間変化する変調信号を発生する変調信号発生工程と、
　前記発生されたフォルマントの、少なくともレベルを、該発生した変調信号によって変調させたときに、その変調後のフォルマントレベルの最大値がその変調前のフォルマントレベルの最大値を超えないように、前記変調信号を形成する変調信号形成工程と、
　前記発生されたフォルマントの、少なくともレベルを該形成された変調信号によって変調する変調工程と
を有することを特徴とする歌唱音声合成方法。
【請求項５】　フォルマントを発生するフォルマント発生モジュールと、
　該発生されたフォルマントを複数個組み合わせることにより１音声を合成する音声合成モジュールと、
　該合成された１音声を順次つなぎ合わせて行くことにより歌唱音声を生成する歌唱音声生成モジュールと、
　前記合成される音声の音高に応じて当該各フォルマントの中心周波数をシフトするフォルマント中心周波数シフトモジュールと、
　該合成される音声の音高に応じて当該各フォルマントのレベルを変動させるフォルマントレベル変動モジュールと、
　前記発生された複数個のフォルマントのうち所定次数のフォルマントの中心周波数が当該合成される音声の音高より低くなったときに、該フォルマントの中心周波数を当該合成される音声の音高で置き換える置き換えモジュールとを含み、
　前記音声合成モジュールは、前記フォルマント中心周波数がシフトされ、および／または前記フォルマントレベルが変動された各フォルマントを組み合わせて音声合成を行う
ことを特徴とするコンピュータが実現できるプログラムを格納した記憶媒体。
【請求項６】　フォルマントを発生するフォルマント発生モジュールと、
　該発生されたフォルマントを複数個組み合わせることにより１音声を合成する音声合成モジュールと、
　該合成された１音声を順次つなぎ合わせて行くことにより歌唱音声を生成する歌唱音声生成モジュールと、
　前記発生されたフォルマントの、少なくともレベルを変調させるための変調信号であって、当該１音声内でそのレベルが時間変化する変調信号を発生する変調信号発生モジュールと、
　前記発生されたフォルマントの、少なくともレベルを、該発生した変調信号によって変調させたときに、その変調後のフォルマントレベルの最大値がその変調前のフォルマントレベルの最大値を超えないように、前記変調信号を形成する変調信号形成モジュールと、
　前記発生されたフォルマントの、少なくともレベルを該形成された変調信号によって変調する変調モジュールと
を含む、コンピュータが実現できるプログラムを格納した記憶媒体。」
　
第２　刊行物発明、及び、本願発明と刊行物発明との対比・検討
１　刊行物
　当審の拒絶理由で引用した刊行物１ないし３は次に掲げるものである。
　　刊行物１：特開平５−４０４８０号公報
　刊行物１には、あらかじめ幾つかのサンプルポイントのフォルマントデータを保持しておき、実際の演奏時には演奏操作によって得られたキーコードおよびタッチデータに対応するフォルマントデータをサンプルポイントのフォルマントデータから補間して求め、フォルマント音を発生するようにした電子楽器であって、時間方向に補間してもよい点が記載されている。
　
２　本願発明と刊行物発明との対比・検討
　本願発明と刊行物１の発明とを対比・検討すると、刊行物１の発明は、本願発明における次に掲げる主要な事項を具備していないし、刊行物１には、この主要な事項を示唆する記載もなされていない。
「発生された複数個のフォルマントのうち所定次数のフォルマントの中心周波数が合成される音声の音高より低くなったときに、該フォルマントの中心周波数を当該合成される音声の音高で置き換える」点（請求項１，３，５）
「発生されたフォルマントの、少なくともレベルを変調させるための変調信号であって、１音声内でそのレベルが時間変化する変調信号を発生する変調信号発生」する点と、「発生されたフォルマントの、少なくともレベルを、発生した変調信号によって変調させたときに、その変調後のフォルマントレベルの最大値がその変調前のフォルマントレベルの最大値を超えないように、前記変調信号を形成する変調信号形成」する点と、「前記発生されたフォルマントの、少なくともレベルを形成された変調信号によって変調する」点（請求項２，４，６）
　そして、上記主要な事項により、本願発明は、明細書記載の顕著な効果を奏するものである。
　すなわち、刊行物１のものにおいて、「補間」を「変調」と解することには無理があり、時間方向に補間するに止まるものであって、前置報告書にて提示された文献にあるところのアフタータッチ手段、ハミング手段を採用したとしても本願発明の構成を充足せず、またその作用効果を奏するものとなるともいえないから、本願発明は、刊行物１の発明に基いて当業者が容易に発明をすることができたものということができない。
　
第３　むすび
　以上、本願発明は、刊行物に記載された発明に基いて当業者が容易に発明をすることができたものということができない。
　また、他に本願発明に係る特許を拒絶する理由を発見しない。
　よって、結論のとおり審決する。